(57)【特許請求の範囲】
【請求項１】
走行機体に水田作業装置を駆動昇降自在かつ駆動ローリング自在に連結し、水田作業装置の左右方向での傾斜角度検出情報に基づいてローリング用のアクチュエータを作動制御して、水田作業装置を目標傾斜角度に近づけるよう構成した水田作業機のローリング制御装置において、
前記水田作業装置に左右方向の傾斜角度を重力式に検知する角度センサと、左右方向の  傾斜角速度を検知する角速度センサとを装備し、
前記角度センサおよび前記角速度センサからの検出情報に基づいて検出傾斜角度を演算するとともに、その検出傾斜角度に基づいて前記アクチュエータの作動方向を決定し、且つ、前記検出傾斜角度と、前記角速度センサで検出された角速度と、前記角速度センサで検出された角速度を微分して得られた角加速度とを加算した演算値に基づいて前記アクチュエータの作動速度を決定する制御手段を備えてあることを特徴とする水田作業機のローリング制御装置。
【請求項２】
前記演算値が所定の閾値を越えると前記アクチュエータを起動させるよう構成してある請求項１記載の水田作業機のローリング制御装置。
【発明の詳細な説明】
【技術分野】
【０００１】
本発明は、田植機や水田直播機などの水田作業機に利用されるローリング制御装置に関する。
【背景技術】
【０００２】
水田作業機に利用されるローリング制御装置としては、水田作業装置を駆動昇降自在かつ駆動ローリング自在に連結し、水田作業装置の傾斜角検出情報に基づいてローリング用電動アクチュエータを作動制御して、水田作業装置の左右方向の傾斜角を目標傾斜角に安定維持するよう構成したものが知られている（例えば、特許文献１参照）。
【特許文献１】特開平１０−１４６１１１号公報
【発明の開示】
【発明が解決しようとする課題】
【０００３】
従来の上記ローリング制御装置においては、水田作業装置に装備した角度センサと加速度センサで左右方向の角度と加速度を検知し、これらセンサの検知情報に基づいてファジー制御を実行して水田作業装置の傾斜姿勢の安定化を図っているのであるが、ファジー制御を好適に実行するためには、種々の作業条件に対応したメンバーシップ函数を構築する必要がある。しかし、水田作業における作業条件は極めて広範であり、例えば、水田条件一つ採ってみても、土質、水量、耕盤深さ、耕盤の均平具合、田面の荒れ具合、など水田条件を決める要素は多くあり、かつ、機体走行の車輪間隔や走行速度がこれらに関係して水田作業装置の傾斜姿勢変化に影響を与えるものであり、多くのテストデータを収集解析した上でメンバーシップ函数を構築する必要があるとともに、機種ごとに異なった特性の制御を行う必要がある。
【０００４】
本発明は、このような点に着目してなされたものであって、合理的な傾斜検知に基づいて優れた応答性かつ高い精度で水田作業装置の左右方向での姿勢を安定維持することができるローリング制御装置を提供することを目的としている。
【課題を解決するための手段】
【０００５】
第１の発明は、走行機体に水田作業装置を駆動昇降自在かつ駆動ローリング自在に連結し、水田作業装置の左右方向での傾斜角度検出情報に基づいてローリング用のアクチュエータを作動制御して、水田作業装置を目標傾斜角度に近づけるよう構成した水田作業機のローリング制御装置において、
前記水田作業装置に左右方向の傾斜角度を重力式に検知する角度センサと、左右方向の傾斜角速度を検知する角速度センサとを装備し、
前記角度センサおよび前記角速度センサからの検出情報に基づいて検出傾斜角度を演算するとともに、その検出傾斜角度に基づいて前記アクチュエータの作動方向を決定し、且つ、前記検出傾斜角度と、前記角速度センサで検出された角速度と、前記角速度センサで検出された角速度を微分して得られた角加速度とを加算した演算値に基づいて前記アクチュエータの作動速度を決定する制御手段を備えてあることを特徴とする。
【０００６】
上記構成によると、角度センサで検出された傾斜角度、角速度センサで検出された角速度を積分して得られた傾斜角度、角速度センサで検出された角速度、検出された角速度を微分して得られた角加速度のいずれかが大ききなるほどアクチュエータの制御速度が速くなって苗植付け装置の傾斜修正方向への作動が速やかに行われる。
【０００７】
つまり、苗植付け装置の左右傾斜が大きくなるほど、あるいは、苗植付け装置が急速に左右傾斜するほどアクチュエータが傾斜復帰方向へ速く作動されることになり、目標傾斜姿勢から外れている時間が短いものとなる。
【０００８】
この場合、苗植付け装置の左右傾斜は、角度センサで検出された傾斜角度と、角速度センサで検出された角速度を積分して得られた傾斜角度とに基づいて演算することができるので、重力式の角度センサによる検出遅れを角速度センサで補った応答性および精度の高い角度検出を実行することができる。
【０００９】
また、アクチュエータの作動速度が角加速度の影響を受けるようにしてあるので、角速度が増加傾向にあると電動アクチュエータが更に速く作動され、逆に、角速度が減少傾向にあるとアクチュエータが速度を抑え気味に作動する。つまり、左右傾斜が激しさを増す状況にあるほど目標傾斜姿勢への修正制御が急速に実行され、左右傾斜が鈍化しかかる状況になるほど修正制御も穏やかに実行されてオーバーシュートが未然に回避されるのである。
【００１０】
従って、第１の発明によると、走行機体が水田における耕盤の凹凸等によって左右に傾斜して、走行機体に連結された水田作業装置が同様に傾斜しかかっても、優れた応答性および高い精度の角度検知に基づくローリング制御が実行されて、水田作業装置を所定の傾斜角度に安定維持することができ、左右位置での植付け深さや播種深さを均一化することができる。
【００１１】
第２の発明は、上記第１の発明において、
前記演算値が所定の閾値を越えると前記アクチュエータを起動させるよう構成してあるものである。
【００１２】
上記構成によると、検出演算された傾斜角度が小さくても、急激に傾斜されようとするだけで演算値が閾値を越えてアクチュエータが起動されることになり、大きな傾斜への発展を未然に抑制することができる。
【発明を実施するための最良の形態】
【００１３】
図１に、本発明に係る水田作業機の一例として施肥装置付きの乗用型田植機が示されている。この乗用型田植機は、機体前部にエンジン８が搭載されるとともに４輪駆動で走行可能に構成された走行機体１の後部に、平行四連リンク構造のリンク機構２を介して８条植え仕様の苗植付け装置（水田作業装置）３が昇降自在に連結され、機体後部に施肥装置４が装備されるとともに機体前部の左右に予備苗のせ台５を備えた構造となっており、前記リンク機構２を油圧シリンダ６で上下に駆動揺動することで苗植付け装置３を昇降制御することができるようになっている。また、苗植付け装置３は、リンク機構２の後端下部に前後方向支点Ｐ周りにローリング自在に連結されるとともに、リンク機構２の後端上部に備えた駆動機構７によって苗植付け装置３をローリング制御するようになっている。
【００１４】
図１、２に示すように、前記苗植付装置３は、横向き角筒状の植付けフレーム１１、走行機体１から取り出された作業用動力を受けるフィードケース１２、一定ストロークで左右に往復横移動する苗のせ台１３、回転式の植付け機構１４、および、後部左右に２条分ずつの植付け機構１４を備えて植付けフレーム１１に並列連結された４個の植付けケース１５、田面の植付け箇所を均平整地する５個の整地フロート１６、等を備えている。なお、詳細な構造は省略するが、並列配備された整地フロート１６群のうちの中央のものは、苗植付け装置３の田面に対する高さを検知する接地センサＳＦとして利用されており、この接地センサＳＦの上下揺動変位が電気的に検知され、その検知情報に基づいて前記油圧シリンダ６の制御弁を作動制御することで、苗植付け装置３の対地高さを一定に維持してを植付け深さを安定維持する自動植付け深さ制御が実行されるようになっている。
【００１５】
図３に示すように、ローリング用の前記駆動機構７は、リンク機構２の後端上部に連結したブラケット２０に前後向き支点Ｑ周りに左右揺動可能な駆動アーム２１と、これをギヤ減速機構２２介して揺動駆動する電動モータ（アクチュエータ）２３とから構成されており、図２に示すように、苗のせ台１３を横移動可能に苗のせ面背部から支持するよう前記植付けフレーム１１の左右から立設された支柱２４を介して横架固定された苗のせ台支持枠２５の上部左右箇所と、前記駆動アーム２１の遊端とがバネ２６を介して連結されている。つまり、苗植付け装置３は駆動アーム２１に対して弾性融通をもって所定小範囲で自由ローリング可能に支持されており、苗植付け装置３が整地フロート１６を介して接地している状態では、走行機体１が多少左右傾斜しても苗植付け装置３は田面に接地追従するようになっている。
【００１６】
そして、前記駆動機構７の電動モータ２３は、苗植付け装置３に装備された後述する傾斜角検出手段からの検出情報に基づいて作動制御され、走行機体１が耕盤の凹凸等によって左右に傾斜して苗植付け装置３が傾斜しかかっても、その傾斜を復元させる方向に苗植付け装置３がローリング制御されて、常に目標傾斜角度（一般に水平）に安定維持され、もって、左右の各植付け部位での植付け深さに差異の少ない植付けが行われるようになっている。
【００１７】
また、リンク機構２の後端上部に連結した前記ブラケット２０と苗のせ台１３の背面における左右箇所とに亘ってローリング復帰用バネ２７が張設されており、苗のせ台１３の往復横移動によって移動方向側のローリング復帰用バネ２７が伸ばされることで、苗のせ台横移動に伴う前後方向支点Ｐ周りの重量バランスの崩れを是正する方向の回動力がローリング復帰用バネ２７によってもたらされるようになっている。
【００１８】
前記傾斜角検出手段には、苗植付け装置３の左右方向の傾斜角度を検知する重力式の角度センサ３１と、苗植付け装置３における左右方向の角速度を検知する振動ジャイロ型の角速度センサ３２とが備えられており、両センサ３１，３２からの検出情報に基づいて苗植付け装置３をローリング制御するための検出傾斜角度θが以下のようにして算出されるものであり、その演算およびローリング制御を行うブロック図が図４に示されている。
【００１９】
つまり、前記角度センサ３１からの検出信号(θg)は、ローパスフィルタ３３に通されてその低周波成分だけが取得され、また、角速度センサ３２で検出された角速度（ω)は、ローカットフィルタ３４を通されたのち積分処理されて傾斜角が算出され、この演算値が更にローカットフィルタ３５に通されてその高周波成分だけが取得され、次に、角度センサ３１からの検出信号(θg)に基づいて取得された低周波成分の傾斜角度（θ1）と、角速度センサ３２からの検出信号に基づいて取得された高周波成分の傾斜角度（θ2）とが加算されて、この値が検出傾斜角度（θ）とされる。
【００２０】
つまり、苗植付け装置３が急速に傾斜すると、角度センサ３１からの検出信号(θg)には振動等による外乱が含まれるとともに、慣性の影響で逆方向の信号が出力されることがあるので、これらを含む高周波成分を除去した値が基本的な傾斜角度（θ1）として取得される。そして、除去された高周波成分を補うために、角速度センサ３２で検出された角速度（ω)に基づいて演算取得された高周波成分の傾斜角度（θ2）が低周波成分の前記傾斜角度（θ1）加算され、全体として優れた応答性および高い精度で検出傾斜角度（θ）が算出されるのである。
【００２１】
なお、角度センサ３１からの検出信号(θg)はセンサ自体に備えられた平滑特性によって傾斜角信号の高周波成分の一部が外乱とともに除去されているので、この除去された高周波成分を補うために角度センサ３１の特性に対応した特性のローカットフィルタ３４が導入されている。また、ローパスフィルタ３３で除去された高周波成分を補うようにローカットフィルタ３５の特性が設定される。
【００２２】
また、上記のようにして演算された検出傾斜角度（θ）、角速度センサ３２で検出された角速度（ω）、および、これを微分処理した角加速度（dω/dt)が、それぞれ所定の係数Kp，Kd，Kddを乗じて加算処理される。
【００２３】
上記のように加算演算された値Ｅ〔=Kp・θ+Kd・ω+Kdd・(dω/dt)〕は、予め設定された閾値（e）と比較され、この演算値（Ｅ）が閾値（e）を越えると電動モータ２３が起動される。また、電動モータ２３の作動方向は、検出傾斜角度（θ）と予め設定された目標傾斜角度（θ0）とを比較演算処理して決定される。
【００２４】
また、前記電動モータ２３は間欠制御（ＰＷＭ制御）されるものであって、上記演算値（Ｅ）はそのデューティ比を設定する電圧となっており、この演算値（Ｅ）が増大するほどデューティ比が大きくなって電動モータ２３の作動速度が速くなる。
【００２５】
上記構成によると、角度センサ３１からの検出信号(θg)に基づいて得られた傾斜角度（θ1）、角速度センサ３２によって検出された角速度（ω）に基づいて得られた傾斜角度（θ2）、角速度センサ３２で検出された角速度（ω）、これに基づいて得られた角加速度(dω/dt)、のいずれかが大きくなるほど電動モータ２３の作動速度が速くなって、苗植付け装置３の傾斜修正作動が速やかに行われる。つまり、苗植付け装置３の左右傾斜が大きくなるほど、あるいは、苗植付け装置３が急速に左右傾斜するほど電動モータ２３が速く作動されることになり、目標傾斜姿勢への復帰が速やかに行われるのである。また、検出演算された傾斜角度が小さくても、急激に傾斜されようとすると電動モータ２３が起動されることになり、大きな傾斜への発展を抑制する機能が発揮される。
【図面の簡単な説明】
【００２６】
【図１】田植機の全体側面図
【図２】苗植付け装置の背面図
【図３】ローリング用駆動機構の縦断側面図
【図４】ローリング制御系のブロック図
【符号の説明】
【００２７】
１                走行機体
３                水田作業装置（苗植付け装置）
２３              アクチュエータ（電動モータ）
３１              角度センサ
３２              角速度センサ
θ                検出傾斜角度
Ｅ                演算値
θ0               目標傾斜角度
θ1               傾斜角度
θ2               傾斜角度
ω                角速度
dω/dt            角加速度
【図１】
0004718256.tif 000002
【図２】
0004718256.tif 000003
【図３】
0004718256.tif 000004
【図４】
0004718256.tif 000005